(57)【要約】【課題】扉開放時にはアームが扉開口上枠から突出しないようにする。【解決手段】鉛直軸線回りに回動する観音開き式の二つの扉の閉鎖順位を調整する閉鎖順位調整器において、扉開口上枠に対してほぼ平行な位置と上枠に対して所定の角度をなす位置との間で回動可能となるように一端において扉開口上枠に取り付けられたアームと、アームを所定の角度をなす位置に付勢する付勢手段と、アームを付勢手段に抗して平行な位置に保持するために、アームの他端に係合する係合手段と、一方の扉が閉鎖する際の回動運動によって係合手段とアームとの間の係合作用を解除する係合解除手段とを具備し、一方の扉の閉鎖時にアームと係合手段との間の係合作用が解除されることにより、アームが付勢手段によって所定の角度をなす位置まで回動するようにした扉閉鎖順位調整器が提供される。【選択図】      図２
2004316251.tif 000002
【特許請求の範囲】
【請求項１】
鉛直軸線回りに回動する観音開き式の二つの扉の閉鎖順位を調整する扉閉鎖順位調整器において、
扉開口上枠に対してほぼ平行な位置と該上枠に対して所定の角度をなす位置との間で回動可能となるように一端において扉開口上枠に取り付けられたアームと、
該アームを前記所定の角度をなす位置に付勢する付勢手段と、
前記アームを前記付勢手段に抗して前記平行な位置に保持するために、前記アームの他端に係合する係合手段と、
一方の扉が閉鎖する際の回動運動によって前記係合手段と前記アームとの間の係合作用を解除する係合解除手段とを具備し、
前記一方の扉の閉鎖時に前記アームと前記係合手段との間の係合作用が解除されることにより、前記アームが前記付勢手段によって前記所定の角度をなす位置まで回動するようにした扉閉鎖順位調整器。
【請求項２】
前記係合解除手段が前記一方の扉の回動運動から変換した直線運動を前記係合手段に伝達することにより前記係合手段と前記アームとの間の係合作用を解除するようにした請求項１に記載の扉閉鎖順位調整器。
【請求項３】
前記係合解除手段の少なくとも一部が長さ調整可能であるようにした請求項１または２に記載の扉閉鎖順位調整器。
【請求項４】
前記一方の扉が、後から閉鎖する後閉め扉である請求項１から３のいずれか一項に記載の扉閉鎖順位調整器。
【発明の詳細な説明】
【０００１】
【発明の属する技術分野】
本発明は、観音開き式の二つの扉を閉鎖順序通りに閉鎖させるための扉閉鎖順位調整器に関する。
【０００２】
【従来の技術】
扉開口に対して左右両側に開閉される観音開き式の扉、例えば防火扉が建物または地下街などに設置されている。これら扉を例えば防火扉として使用する場合には、自動閉鎖装置が火災発生時に作動してこれら扉が自動的に閉鎖される。このような場合に延焼を確実に防止するために、目板が一方の扉の前方側および他方の扉の後方側にそれぞれ取り付けられている。扉閉鎖順位調整器はこれら扉の閉鎖順位を調整する役目を果たす。
【０００３】
図９は従来技術の扉閉鎖順位調整器の斜視図である。図９に示されるように、従来技術の扉閉鎖順位調整器１００は扉開口上枠１１の下面に設けられている。回動可能な二つの扉、すなわち先に閉鎖される扉（以下、「先閉め扉」と称する）８００と後から閉鎖される扉（以下、「後閉め扉」と称する）９００とは、扉開口上枠１１の両端部において扉開口上枠１１に対して垂直に配置されるよう通常は開放している。扉閉鎖順位調整器１００は扉開口上枠１１に直接的に取り付けられる支軸部１２０と、一端が支軸部１２０に回動可能に設けられたアーム１５０とを有している。アーム１５０は支軸部１２０内に配置される付勢部材、例えば巻きバネによって、扉開口上枠１１に対して所定の角度をなすように付勢されている。従って、アーム１５０は常には後閉め扉９００の回動軌跡内に突出している。先閉め扉８００と後閉め扉９００とが閉鎖される際に、後閉め扉９００はアーム１５０の先端に接触し、これにより先閉め扉８００が後閉め扉９００に先行して閉鎖されるようになる。この際、先閉め扉８００がアーム１５０の中間部付近に接触するので、アーム１５０は付勢部材に抗して回動し、これにより後閉め扉９００も閉鎖されるようになる（例えば、特許文献１を参照されたい）。
【特許文献１】
実開平６−４５０３１号公報
【０００４】
【発明が解決しようとする課題】
しかしながら、従来技術、例えば特許文献１に示されるような扉閉鎖順位調整器１００の場合には、アーム１５０が扉開口上枠１１に対して所定の角度をなすように通常は突出しているので、建物等の内部の美観が損なわれる可能性がある。特に扉閉鎖順位調整器１００を建物内における外来者の多い場所、例えばエレベータ・ホールに設置する場合には多数の人に見られる可能性が高い。また、天井から扉開口上枠１１までの距離が比較的長い場合には、床から扉開口上枠１１までの高さよりも高い物体を搬入する際に、上記のように突出するアーム１５０が物体に接触して障害物となる場合もある。
【０００５】
本発明はこのような事情に鑑みてなされたものであり、扉開放時にはアームが扉開口上枠から突出しないようにした扉閉鎖順位調整器を提供することを目的とする。
【０００６】
【課題を解決するための手段】
前述した目的を達成するために１番目の発明によれば、鉛直軸線回りに回動する観音開き式の二つの扉の閉鎖順位を調整する扉閉鎖順位調整器において、扉開口上枠に対してほぼ平行な位置と該上枠に対して所定の角度をなす位置との間で回動可能となるように一端において扉開口上枠に取り付けられたアームと、該アームを前記所定の角度をなす位置に付勢する付勢手段と、前記アームを前記付勢手段に抗して前記平行な位置に保持するために、前記アームの他端に係合する係合手段と、一方の扉が閉鎖する際の回動運動によって前記係合手段と前記アームとの間の係合作用を解除する係合解除手段とを具備し、前記一方の扉の閉鎖時に前記アームと前記係合手段との間の係合作用が解除されることにより、前記アームが前記付勢手段によって前記所定の角度をなす位置まで回動するようにした扉閉鎖順位調整器が提供される。
【０００７】
すなわち１番目の発明によって、扉開放時にはアームが扉開口上枠から突出しないようにすることができるので、美観が損なわれるのを回避できると共にアームが障害物となるのを避けることができる。係合解除手段としては、扉の回動運動から変換した直線運動によってアームと係合手段との間の係合を解除する係合解除手段、扉の回動運動から変換した別の回動運動によってアームと係合手段との間の係合を解除する係合解除手段を含んでいる。
【０００８】
２番目の発明によれば、１番目の発明において、前記係合解除手段が前記一方の扉の回動運動から変換した直線運動を前記係合手段に伝達することにより前記係合手段と前記アームとの間の係合作用を解除するようにした。
すなわち２番目の発明によって、扉の回動運動を直線運動に変換するので係合手段を確実に移動させることができる。係合解除手段の一部に例えばカムを採用することにより、扉の回動運動を直線運動に変換することができる。
【０００９】
３番目の発明によれば、１番目または２番目の発明において、前記係合解除手段の少なくとも一部が長さ調整可能であるようにした。
すなわち３番目の発明によって、扉開口上枠の寸法が異なる場合であっても、長さを調節することにより、扉閉鎖順位調整器を異なる寸法の扉開口上枠に容易に取り付けることができる。
【００１０】
４番目の発明によれば、１番目から３番目のいずれかの発明において、前記一方の扉が、後から閉鎖する後閉め扉である。
すなわち４番目の発明によって、アームの突出時にアームは後閉め扉の回動軌跡内に位置する必要があるので、アームと係合解除手段との間の距離を比較的小さくすることができ、結果的に扉閉鎖順位調整器全体を小型にすることができる。
【００１１】
【発明の実施の形態】
以下、添付図面を参照して本発明の実施形態を説明する。以下の図面において同一の部材には同一の参照符号が付けられている。理解を容易にするために、これら図面は縮尺を適宜変更している。
図１は本発明の一つの実施形態に基づく扉閉鎖順位調整器の略図である。図１に示されるように、それぞれ鉛直方向回動軸８１、９１回りに回動可能な二つの扉８０、９０が扉開口上枠１１の下面の両端部付近に配置されている。図１において先閉め扉８０の閉鎖時に扉開口上枠に隣接する側の表面の縁部には、目板８２が設けられている。同様に、後閉め扉９０の閉鎖時に扉開口上枠に隣接しない側の表面の縁部には、目板９２が設けられている。本発明の一つの実施形態に基づく扉閉鎖順位調整器１０の支軸部１２は扉開口上枠１１の下面に取り付けられている。支軸部１２は回動可能なアーム１５を含んでおり、アーム１５の一端が支軸部１２の回動軸１３に回動可能に取り付けられている。支軸部１２は、回動軸１３が先閉め扉８０と後閉め扉９０との召し合わせ線Ｆ（図１および後述する図８を参照されたい）上に位置するように取り付けられている。本実施形態においてはアーム１５の他端には回転軸１６回りに回転可能なローラ１８が設けられている。アーム１５を後閉め扉９０の回動軌跡Ｒ内に突出させるために、アーム１５は支軸部１２内に設けられた付勢部材、例えば巻バネ（図示しない）によって、扉開口上枠１１に対して所定の角度をなすように付勢されている。この所定の角度はアーム１５の先端と後閉め扉９０とが接触するときに例えば約４５度程度にされるのが好ましい。本発明においては、アーム１５の先端が通常は係合手段２０（後述する）に係合している。従って、アーム１５は通常は扉開口上枠１１に対してほぼ平行な位置に保持されている。
【００１２】
図２は図１に示す扉閉鎖順位調整器の部分拡大図であり、図３（ａ）および図３（ｂ）は本発明の一つの実施形態に基づく扉閉鎖順位調整器の部分拡大側面図である。これら図面に示すようにアーム１５は扉開口上枠１１に対してほぼ平行に設けられたケーシング２１（図１等には示さない）内に支軸部１２（図２には示さない）と共に配置されている。ケーシング２１は例えば角パイプから形成されている。添付図面においては角パイプ製ケーシング２１内に位置する部材が見えるようになっているが、ケーシング２１に例えば開閉可能な蓋部を設けることによりケーシング２１内の部材が見えないようにすることもできる。ケーシング２１の端部付近内部には係合手段２０が配置されている。図２および図３（ｂ）から分かるように、係合手段２０の幅および高さはケーシング２１の内寸にそれぞれほぼ等しくなっている。従って、係合手段２０をケーシング２１の内壁に沿って長手方向に摺動させられる。係合手段２０の先端２３は略三角形状に形成されていて、前述したようにアーム１５の先端、図示される実施形態においてはローラ１８の一部分に係合している。これにより、アーム１５は支軸部１２内の付勢手段（図示しない）に抗して扉開口上枠１１に対してほぼ平行に保持されるようになる。本実施形態においては係合手段２０の先端が略三角形状にまっているが、係合手段２０の先端はアーム１５の先端に係合してこれを保持できる形状であれば他の形状であってもよい。図３（ｂ）に示されるように係合手段２０が摺動しないケーシング２１の一部分には、開口部２９がケーシング２１の側方に形成されており、扉の閉鎖時にはアーム１５はケーシング２１の側方開口部２９を通って突出する。係合手段２０の他端は、ケーシング２１の端部２５に形成された孔を通過する連結部３０の延長部３３に連結されている。さらに、係合手段２０の他端とケーシング２１の端部２５の間には付勢手段、例えばバネ３９が延長部３３周りに配置されている。
【００１３】
例えば角パイプから形成される他のケーシング５０が扉開口上枠１１の後閉め扉９０付近において扉開口上枠１１に対してほぼ平行に設けられている。添付図面においては角パイプ製ケーシング５０内の部材が見えるようになっているが、ケーシング５０に例えば開閉可能な蓋部を設けることによりケーシング５０内の部材が見えないようにすることもできる。図示されるようにカム６０が回動軸６１回りに回動可能に設けられている。カム６０は寸法の短い短寸部分６３と寸法の長い長寸部分６６とを含んでおり、図２においては長寸部分６６は後閉め扉９０に対して平行に延びる直線部分６４を備えている。この直線部分６４を設けることによってカム６０を後閉め扉９０に隣接するように配置することができる。図３（ａ）に示されるようにケーシング５０の側方にはカム６０のための開口部５１が形成されている。図２に示されるように後閉め扉９０が開放している状態においてはカム６０の長寸部分６６がケーシング５０の開口部５１から突出している。
【００１４】
さらに連結部３０を案内するための略Ｌ字形状案内部５５がケーシング５０に設けられている。図２に示されるように案内部５５はケーシング５０の一部にネジ５７によって固定されており、連結部３０は案内部５５の開口部５６を通って案内されるようになっている。図示されるように連結部３０は中空部分３１とこの中空部分３１の両端にそれぞれ位置決めされる延長部３２、３３とを含んでいる。これら延長部３２、３３の少なくとも一部は中空部分３１内に配置されており、中空部分３１の両端に取り付けられた調整部３４、３６、例えばネジ山およびナット（図３（ａ）および図３（ｂ）を参照されたい）によって、中空部分３１から突出する延長部３２、３３の長さを調整することができる。連結部３０がこのような構成であることによって、扉閉鎖順位調整器１０を取り付けるべき建物の扉開口上枠１１の長さに応じて連結部３０の長さを調整することができる。前述したように延長部３３がケーシング２１の端部２５の開口部により案内されると共に中空部分３１が案内部５５の開口部５６により案内されるので、連結部３０は扉開口上枠１１に対してほぼ平行に線形運動できる。図２および図３（ａ）から分かるように、延長部３２の先端に在る軸部４１とカム６０の短寸部分６３の軸部４２とをリンクするリンク部材４０によって、連結部３０とカム６０とが連結されている。
【００１５】
図４、図６および図８は、本発明の一つの実施形態に基づく扉閉鎖順位調整器の動作を示す略図であり、図５および図７は扉閉鎖順位調整器の動作を示す部分拡大図である。使用時、例えば火災発生等の緊急時に両方の扉８０、９０に備えられた自動閉鎖装置によって、これら扉の閉鎖作用が同時に開始される。後閉め扉９０が所定の角度まで回動すると、図２における仮想線および図４に示されるように後閉め扉９０の扉閉鎖順位調整器１０側の表面がカム６０の長寸部分６６の先端に接触する。
【００１６】
次いで図５に示されるように、後閉め扉９０がさらに回動すると、後閉め扉９０がカム６０の長寸部分６６を押圧するのでカム６０は時計回りに回動するようになる。これにより、カム６０に連結されたリンク部材４０によって連結部３０が右方に移動する。次いで、延長部３３の先端に取り付けられた係合手段２０もケーシング２１の内壁に沿って右方に移動するので、アーム１５と係合手段２０との間の係合作用が解除される。前述したようにアーム１５は支軸部１２内の付勢部材（図示しない）によって付勢されているので、アーム１５は後閉め扉９０の回動軌跡Ｒ内に突出するようになる。
【００１７】
次いで図６に略して示されるように後閉め扉９０がさらに回動すると、アーム１５の先端が後閉め扉９０に接触してこれを支持するようになる。すなわち、後閉め扉９０の閉鎖作用がアーム１５によって制限される。この間に、鉛直方向回動軸８１回りに回動した先閉め扉８０が、後閉め扉９０に先行して閉鎖される。先閉め扉８０が閉鎖する際に先閉め扉８０の先端、例えば目板８２がアーム１５の側部を押圧するので、アーム１５は再び扉開口上枠１１に対して平行な位置に向かって回動するようになる。アーム１５の回動状態に応じて後閉め扉９０が閉鎖し、最終的には後閉め扉９０は先閉め扉８０が完全に閉鎖した後に閉鎖するようになる（図７および図８を参照されたい）。図７から分かるように先閉め扉８０および後閉め扉９０が完全に閉鎖した際には、アーム１５はアーム１５の先端が後閉め扉９０に接触した位置に保持される。
【００１８】
後閉め扉９０を再び開放させると、係合手段２０とケーシング２１の端部２５との間のバネ３９の付勢作用によって、係合手段２０は元位置まで左方に移動する。このとき、連結部３０自体も元位置まで戻るので、カム６０もリンク部材４０によって図２等に示す元位置まで戻る。一方、アーム１５は支軸部１２内の付勢手段により前述した所定の角度をなす位置に向かって再び突出する。従って、例えば手動などにより係合手段２０をわずかに右方に移動させると共にアーム１５を図２に示す位置まで戻すことにより、アーム１５と係合手段２０とを再び係合させることができる。
【００１９】
このように本発明においては、先閉め扉８０および後閉め扉９０の開放時に扉閉鎖順位調整器１０のアーム１５は扉開口上枠１１に対してほぼ平行な位置に保持されている。すなわち扉開放時にはアーム１５が扉開口上枠１１から突出しないようにしているので、扉閉鎖順位調整器１０のアーム１５によって美観が損なわれることはなく、またアームが障害物となることもない。さらにケーシング２１およびケーシング５０に前述した蓋部を設けると共に連結部３０の露出した一部分にカバーを設けることにより、美観が損なわれるのをさらに妨げることができる。この場合にはケーシング２１およびケーシング５０の蓋部ならびに前述したカバーがほぼ同一平面になるのが好ましい。
【００２０】
本発明の図示しない他の実施形態においては、カム６０およびリンク部材４０の代わりに、ワイヤおよびプーリを採用してもよい。この場合には、例えばプーリを扉開口上枠１１の端部に配置し、延長部３２の先端から延びるワイヤをこのプーリを介して後閉め扉９０の一面に取り付けても良い。この場合にも後閉め扉９０の回動運動により延長部３２が右方に引張られ、従って、アーム１５と係合手段２０との間の係合が同様に解除されるようになる。
【００２１】
さらに前述した実施形態においては後閉め扉９０の回動運動を直線運動に変換することによりアームと係合手段２０との間の係合を解除しているが、本発明においては後閉め扉９０の回動運動によってアーム１５と係合手段２０との間の係合が解除されれば足り、例えば扉の回動運動によって回動するフックによってアーム１５と係合手段２０との間の係合を解除する場合であっても本発明の範囲に含まれる。また、先閉め扉８０と後閉め扉９０とが同時に閉鎖作用を開始する場合には、先閉め扉８０の回動運動によってアーム１５と係合手段２０との間の係合が解除され、これによりアーム１５が後閉め扉９０の回動軌跡Ｒ内に突出するようにしてもよい。このような場合も本発明の範囲に含まれるのは明らかである。しかしながら、このような場合にはアーム１５の長さの分だけ連結部３０が長くなるので、図面により説明した実施形態のように後閉め扉９０の回動運動によってアーム１５と係合手段２０との間の係合作用を解除するのが好ましい。これにより、図面により説明した実施形態においてはアームと係合解除手段との間の距離を比較的小さくすることができ、結果的に扉閉鎖順位調整器全体を小型にすることができる。さらに、図面により説明した実施形態においては二つの扉の寸法はほぼ等しくなっているが、幅の異なる二つの扉、すなわち親子扉の場合にも本発明の扉順位調整器を適用できるのは明らかである。
【００２２】
図９（ａ）は本発明の一つの実施形態を示す扉閉鎖順位調整器の側断面図であり、図９（ｂ）は本発明の別の実施形態を示す扉閉鎖順位調整器の側断面図である。前述した実施形態においては図９（ａ）に示すように扉閉鎖順位調整器１０は扉開口上枠１１の下面に取付られている。図９（ｂ）に示す別の実施形態においては側方溝１７が扉開口上枠１１に沿って形成されており、扉閉鎖順位調整器１０は側方溝１７内に配置されている。このため、扉閉鎖順位調整器１０は扉開口上枠１１の下面１９によって下方からは見えなくなる。従ってこのような構成にすることにより美観が損なわれるのをほぼ完全に妨げることができる。
【００２３】
【発明の効果】
各請求項に記載の発明によれば、扉開放時にはアームが扉開口上枠から突出しないようにすることができるので、美観が損なわれるのを回避できると共にアームが障害物となるのを避けることができるという共通の効果を奏しうる。
【００２４】
さらに、請求項２に記載の発明によれば、扉の回動運動を直線運動に変換するので係合手段を確実に移動させるという効果を奏しうる。
さらに、請求項３に記載の発明によれば、扉閉鎖順位調整器を異なる寸法の扉開口上枠に容易に取り付けることができるという効果を奏しうる。
さらに、請求項４に記載の発明によれば、アームと係合解除手段との間の距離を比較的小さくすることができるという効果を奏しうる。
【図面の簡単な説明】
【図１】図１は本発明の一つの実施形態に基づく扉閉鎖順位調整器の略図である。
【図２】図１に示す扉閉鎖順位調整器の部分拡大図である。
【図３】（ａ）本発明の一つの実施形態に基づく扉閉鎖順位調整器の部分拡大側面図である。
（ｂ）本発明の一つの実施形態に基づく扉閉鎖順位調整器の部分拡大側面図である。
【図４】本発明の一つの実施形態に基づく扉閉鎖順位調整器の動作を示す略図である。
【図５】扉閉鎖順位調整器の動作を示す部分拡大図である。
【図６】本発明の一つの実施形態に基づく扉閉鎖順位調整器の動作を示す略図である。
【図７】扉閉鎖順位調整器の動作を示す部分拡大図である。
【図８】本発明の一つの実施形態に基づく扉閉鎖順位調整器の動作を示す略図である。
【図９】（ａ）本発明の一つの実施形態を示す扉閉鎖順位調整器の側断面図である。
（ｂ）本発明の別の実施形態を示す扉閉鎖順位調整器の側断面図である。
【図１０】従来技術の扉閉鎖順位調整器の斜視図である。
【符号の説明】
１０…扉閉鎖順位調整器
１１…扉開口上枠
１２…支軸部
１３…回動軸
１５…アーム
１６…回転軸
１８…ローラ
２０…係合手段
２１…ケーシング
２９…側方開口部
３０…連結部
３１…中空部分
３２…延長部
３３…延長部
３９…バネ
４０…リンク部材
５０…ケーシング
５５…案内部
６０…カム
６３…短寸部分
６４…直線部分
６６…長寸部分
８０…先閉め扉
８１…回動軸
８２…目板
９０…後閉め扉
９１…回動軸
【図１】
2004316251.tif 000003
【図２】
2004316251.tif 000004
【図３】
2004316251.tif 000005
【図４】
2004316251.tif 000006
【図５】
2004316251.tif 000007
【図６】
2004316251.tif 000008
【図７】
2004316251.tif 000009
【図８】
2004316251.tif 000010
【図９】
2004316251.tif 000011
【図１０】
2004316251.tif 000012